【手続補正書】
【提出日】平成17年12月12日(2005.12.12)
【手続補正１】
【補正対象書類名】明細書
【補正対象項目名】特許請求の範囲
【補正方法】変更
【補正の内容】
【特許請求の範囲】
【請求項１】  複数の電子機器が接続されて構築されたネットワーク上でデータ送受信を行うデータ伝送方法であって、
記録媒体に対して記録及び／又は再生するデータのコンテンツの時間軸が変化する際に、上記データに非連続情報データを挿入すること
を特徴とするデータ伝送方法。
【請求項２】  上記記録媒体に記録されたデータのコンテンツの時間軸の変わり目を検出することを特徴とする請求項１記載のデータ伝送方法。
【請求項３】  上記記録媒体に記録されたデータの出力開始時に、このデータに上記非連続情報データを挿入することを特徴とする請求項１記載のデータ伝送方法。
【請求項４】  上記記録媒体に記録されたデータの出力停止時に、このデータに上記非連続情報データを挿入することを特徴とする請求項１記載のデータ伝送方法。
【請求項５】  上記ネットワーク上の他の電子機器が使用しているチャンネルを乗っ取り上記記録媒体に記録されたデータを出力する際に、このデータに上記非連続情報データを挿入することを特徴とする請求項１記載のデータ伝送方法。
【請求項６】  上記記録媒体に記録されたデータの可変速再生への遷移時に、このデータに上記非連続情報データを挿入することを特徴とする請求項１記載のデータ伝送方法。
【請求項７】  上記記録媒体に記録されたデータのコンテンツが切り換わる際に、このデータに上記非連続情報データを挿入することを特徴とする請求項１記載のデータ伝送方法。
【請求項８】  上記記録媒体に対するデータの記録開始時に、このデータに上記非連続情報データを挿入することを特徴とする請求項１記載のデータ伝送方法。
【請求項９】  上記記録媒体に対するデータの記録停止時に、このデータに上記非連続情報データを挿入することを特徴とする請求項１記載のデータ伝送方法。
【請求項１０】  上記記録媒体として、テープ状記録媒体を用いることを特徴とする請求項１記載のデータ伝送方法。
【請求項１１】  上記記録媒体として、円盤状記録媒体を用いることを特徴とする請求項１記載のデータ伝送方法。
【請求項１２】  複数の電子機器が接続されて構築されたネットワーク上でデータ送受信を行うデータ伝送方法であって、
上記ネットワークのインターフェースとは異なる通信媒体を介して外部から受信したデータのコンテンツの時間軸が変化する際に、上記データに非連続情報データを挿入すること
を特徴とするデータ伝送方法。
【請求項１３】  上記ネットワークのインターフェースを介して受信した上記非連続情報データが挿入されたデータのコンテンツの時間軸の変わり目を検出することを特徴とする請求項１２記載のデータ伝送方法。
【請求項１４】  上記ネットワークのインターフェースとは異なる通信媒体を介して外部から受信しているプログラムから異なるプログラムへ選局して切り換える際に、上記非連続情報データを挿入することを特徴とする請求項１２記載のデータ伝送方法。
【請求項１５】  複数の電子機器が接続されて構築されたネットワーク上でデータ送受信を行う電子機器であって、
記録媒体に記録されたデータの非連続情報データを生成する生成手段を備え、
上記生成手段は、上記データのコンテンツの時間軸が変化する際に、上記データに生成した非連続情報データを挿入すること
を特徴とする電子機器。
【請求項１６】  上記記録媒体に記録されたデータのコンテンツの時間軸の変わり目を検出する検出手段を備えることを特徴とする請求項１５記載の電子機器。
【請求項１７】  上記生成手段は、上記データの出力開始時に、上記データに上記非連続情報データを挿入することを特徴とする請求項１５記載の電子機器。
【請求項１８】  上記生成手段は、上記データの出力停止時に、上記データに上記非連続情報データを挿入することを特徴とする請求項１５記載の電子機器。
【請求項１９】  上記生成手段は、上記データとは互いに異なるデータが使用しているチャンネルを乗っ取り上記データを出力する際に、上記データに上記非連続情報データを挿入することを特徴とする請求項１５記載の電子機器。
【請求項２０】  上記生成手段は、上記データの可変速再生への遷移時に、上記データに上記非連続情報データを挿入することを特徴とする請求項１５記載の電子機器。
【請求項２１】  上記生成手段は、上記データのコンテンツが切り換わる際に、上記非連続情報データを挿入することを特徴とする請求項１５記載の電子機器。
【請求項２２】  上記生成手段は、上記データの記録開始時に、上記データに上記非連続情報データを挿入することを特徴とする請求項１５記載の電子機器。
【請求項２３】  上記生成手段は、上記データの記録停止時に、上記データに上記非連続情報データを挿入することを特徴とする請求項１５記載の電子機器。
【請求項２４】  上記記録媒体は、テープ状記録媒体であることを特徴とする請求項１５記載の電子機器。
【請求項２５】  上記記録媒体は、円盤状記録媒体であることを特徴とする請求項１５記載の電子機器。
【請求項２６】  複数の電子機器が接続されて構築されたネットワーク上でデータ送受信を行う電子機器であって、
上記ネットワークのインターフェースとは異なる通信媒体を介して外部から受信したデータの同調をとる同調手段と、
上記ネットワークのインターフェース及び／又は上記同調手段を介して受信したデータの非連続情報データを生成する生成手段とを備え、
上記生成手段は、上記同調手段を介して受信したデータのコンテンツの時間軸が変化する際に、上記データに生成した非連続情報データを挿入すること
を特徴とする電子機器。
【請求項２７】  上記ネットワークのインターフェースを介して受信した上記非連続情報データが挿入されたデータのコンテンツの時間軸の変わり目を検出する検出手段を備えることを特徴とする請求項２６記載の電子機器。
【請求項２８】  上記生成手段は、上記同調手段を介して外部から受信しているプログラムから異なるプログラムへ選局して切り換える際に、上記非連続情報データを挿入することを特徴とする請求項２６記載の電子機器。
【手続補正２】
【補正対象書類名】明細書
【補正対象項目名】０００７
【補正方法】変更
【補正の内容】
【０００７】
【課題を解決するための手段】
上述した目的を達成する本発明にかかるデータ伝送方法は、複数の電子機器が接続されて構築されたネットワーク上でデータ送受信を行うデータ伝送方法であって、記録媒体に対して記録及び／又は再生するデータのコンテンツの時間軸が変化する際に、データに非連続情報データを挿入することを特徴としている。
【手続補正３】
【補正対象書類名】明細書
【補正対象項目名】０００９
【補正方法】変更
【補正の内容】
【０００９】
また、上述した目的を達成する本発明にかかるデータ伝送方法は、複数の電子機器が接続されて構築されたネットワーク上でデータ送受信を行うデータ伝送方法であって、上記ネットワークのインターフェースとは異なる通信媒体を介して外部から受信したデータのコンテンツの時間軸が変化する際に、データに非連続情報データを挿入することを特徴としている。
【手続補正４】
【補正対象書類名】明細書
【補正対象項目名】００１０
【補正方法】変更
【補正の内容】
【００１０】
このような本発明にかかるデータ伝送方法は、ネットワークのインターフェースとは異なる通信媒体を介して外部から受信したデータの非連続情報データを挿入することによって、データのコンテンツの時間軸が変化していることを示す。
【手続補正５】
【補正対象書類名】明細書
【補正対象項目名】００１１
【補正方法】変更
【補正の内容】
【００１１】
さらに、上述した目的を達成する本発明にかかる電子機器は、複数の電子機器が接続されて構築されたネットワーク上でデータ送受信を行う電子機器であって、記録媒体に記録されたデータの非連続情報データを生成する生成手段を備え、生成手段は、データのコンテンツの時間軸が変化する際に、データに生成した非連続情報データを挿入することを特徴としている。
【手続補正６】
【補正対象書類名】明細書
【補正対象項目名】００１３
【補正方法】変更
【補正の内容】
【００１３】
さらにまた、上述した目的を達成する本発明にかかる電子機器は、複数の電子機器が接続されて構築されたネットワーク上でデータ送受信を行う電子機器であって、ネットワークのインターフェースとは異なる通信媒体を介して外部から受信したデータの同調をとる同調手段と、ネットワークのインターフェース及び／又は同調手段を介して受信したデータの非連続情報データを生成する生成手段とを備え、生成手段は、同調手段を介して受信したデータのコンテンツの時間軸が変化する際に、データに生成した非連続情報データを挿入することを特徴としている。
【手続補正７】
【補正対象書類名】明細書
【補正対象項目名】００１４
【補正方法】変更
【補正の内容】
【００１４】
このように構成された本発明にかかる電子機器は、ネットワークのインターフェースとは異なる通信媒体を介して外部から受信したデータの非連続情報データを生成してデータに挿入することによって、このデータのコンテンツの時間軸が変化していることを示す。
【手続補正８】
【補正対象書類名】明細書
【補正対象項目名】０１３７
【補正方法】変更
【補正の内容】
【０１３７】
【発明の効果】
以上詳細に説明したように、本発明にかかるデータ伝送方法は、複数の電子機器が接続されて構築されたネットワーク上でデータ送受信を行うデータ伝送方法であって、記録媒体に対して記録及び／又は再生するデータのコンテンツの時間軸が変化する際に、データに非連続情報データを挿入することによって、このデータを外部へと出力した際に、このデータを受信した電子機器が、データのコンテンツの時間軸が変化していることを知ることができ、各部がハングアップしてしまうことを回避することが可能となるとともに、ノイズ画を表示したり、スピーカを破壊してしまうような異常音を出力することも回避可能となる。
【手続補正９】
【補正対象書類名】明細書
【補正対象項目名】０１３８
【補正方法】変更
【補正の内容】
【０１３８】
また、本発明にかかるデータ伝送方法は、複数の電子機器が接続されて構築されたネットワーク上でデータ送受信を行うデータ伝送方法であって、ネットワークのインターフェースとは異なる通信媒体を介して外部から受信したデータのコンテンツの時間軸が変化する際に、データに非連続情報データを挿入することによって、このデータをネットワークのインターフェースを介して外部へと出力した際に、このデータを受信した電子機器が、データのコンテンツの時間軸が変化していることを知ることができる。したがって、本発明にかかるデータ伝送方法は、データを受信した電子機器の各部がハングアップしてしまうことを回避することができ、ノイズ画を表示したり、スピーカを破壊してしまうような異常音を出力することも回避することができる。
【手続補正１０】
【補正対象書類名】明細書
【補正対象項目名】０１３９
【補正方法】変更
【補正の内容】
【０１３９】
さらに、本発明にかかる電子機器は、複数の電子機器が接続されて構築されたネットワーク上でデータ送受信を行う電子機器であって、記録媒体に記録されたデータの非連続情報データを生成する生成手段を備え、データのコンテンツの時間軸が変化する際に、データに、この生成手段により生成した非連続情報データを挿入するため、このデータを外部へと出力した際に、このデータを受信した他の電子機器が、データのコンテンツの時間軸が変化していることを知ることができ、各部がハングアップしてしまうことを回避することができるとともに、ノイズ画を表示したり、スピーカを破壊してしまうような異常音を出力することも回避することができる。
【手続補正１１】
【補正対象書類名】明細書
【補正対象項目名】０１４０
【補正方法】変更
【補正の内容】
【０１４０】
さらにまた、本発明にかかる電子機器は、複数の電子機器が接続されて構築されたネットワーク上でデータ送受信を行う電子機器であって、ネットワークのインターフェースとは異なる通信媒体を介して外部から受信したデータの同調をとる同調手段と、ネットワークのインターフェース及び／又は同調手段を介して受信したデータの非連続情報データを生成する生成手段とを備え、同調手段を介して受信したデータのコンテンツの時間軸が変化する際に、データに、生成手段によって生成した非連続情報データを挿入するため、このデータをネットワークのインターフェースを介して外部へと出力した際に、このデータを受信した電子機器が、データのコンテンツの時間軸が変化していることを知ることができる。したがって、本発明にかかる電子機器は、データを受信した電子機器の各部がハングアップしてしまうことを回避することを可能とするとともに、ノイズ画を表示したり、スピーカを破壊してしまうような異常音を出力することも回避することが可能となる。